(57)【特許請求の範囲】
【請求項１】
毛髪が植毛されるかつらベースであって、
かつら装着者の地毛を囲繞する地毛囲繞部を備え、
前記地毛囲繞部は、該地毛囲繞部の周囲から前記地毛を引き入れるための開閉可能な地毛引き入れ口を有し、
前記地毛囲繞部は、可撓性を有し、前記地毛引き入れ口が開いた状態と該地毛引き入れ口が閉じた状態とに撓む
ことを特徴とするかつらベース。
【請求項２】
前記地毛囲繞部は、前記地毛引き入れ口において開口するループ形状を呈することを特徴とする請求項１記載のかつらベース。
【請求項３】
前記毛髪が植毛されるかつらベース本体部を更に備え、
前記地毛囲繞部は、前記かつらベース本体部から突出するように設けられている、
ことを特徴とする請求項１又は２記載のかつらベース。
【請求項４】
前記地毛引き入れ口は、前記かつらベース本体部からの前記地毛囲繞部の突出方向の先端よりも固定端側に位置することを特徴とする請求項３記載のかつらベース。
【請求項５】
毛髪が植毛されるかつらベースであって、
かつら装着者の地毛を囲繞する地毛囲繞部を備え、
前記地毛囲繞部は、該地毛囲繞部の周囲から前記地毛を引き入れるための開閉可能な地毛引き入れ口を有し、
前記毛髪が植毛されるかつらベース本体部を更に備え、
前記地毛囲繞部は、前記かつらベース本体部に設けられた凹部と、該凹部の開口部分である前記地毛引き入れ口を開閉させる開閉部材と、を更に有する、
ことを特徴とするかつらベース。
【請求項６】
毛髪が植毛されるかつらベースであって、
かつら装着者の地毛を囲繞する地毛囲繞部を備え、
前記地毛囲繞部は、該地毛囲繞部の周囲から前記地毛を引き入れるための開閉可能な地毛引き入れ口を有し、
前記毛髪が植毛されるかつらベース本体部と、
前記かつらベース本体部の周縁から外側方向に突出し前記毛髪が植毛される複数のシート状部材と、を更に備え、
前記複数のシート状部材は、少なくとも一部が他の前記シート状部材に重なって位置し、
前記地毛囲繞部は、前記複数のシート状部材が重なった部分であり、
前記地毛引き入れ口は、前記複数のシート状部材が重なった部分の周縁である、
ことを特徴とするかつらベース。
【請求項７】
請求項１から６のいずれか１項記載のかつらベースと、
前記かつらベースに植毛された前記毛髪と、
を備えることを特徴とするかつら。
【発明の詳細な説明】
【技術分野】
【０００１】
本発明は、毛髪が植毛されるかつらベース、及びかつらに関する。
【背景技術】
【０００２】
従来、毛髪が植毛されるかつらベースにおいて、かつら装着者の地毛と植毛される毛髪とを混ぜ合わせるために、地毛を収容可能な捕捉空間が周縁に形成されたかつらベースが提案されている（例えば、特許文献１参照）。上記の捕捉空間は、かつらベースの周縁から突出する捕捉部の間に形成される。そして、地毛は、捕捉部によって保持される。
【先行技術文献】
【特許文献】
【０００３】
【特許文献１】特開２０１４−９４０６号公報
【発明の概要】
【発明が解決しようとする課題】
【０００４】
上述のように捕捉空間が形成されたかつらベースでは、捕捉空間に収容された地毛は、捕捉空間が常に開放しているために、捕捉空間から抜け出てしまうことがある。このように地毛が捕捉空間から抜け出ると、かつらベースの周縁が露出しやすくなること及びかつらベースの位置ずれが生じやすくなることによって、かつらの外観が不自然になるおそれがある。
【０００５】
本発明の目的は、かつらの取り付け時に簡単にかつらの外観を自然にすることができるかつらベース及びかつらを提供することである。
【課題を解決するための手段】
【０００６】
１つの観点では、かつらベースは、毛髪が植毛されるかつらベースであって、かつら装着者の地毛を囲繞する地毛囲繞部を備え、前記地毛囲繞部は、該地毛囲繞部の周囲から前記地毛を引き入れるための開閉可能な地毛引き入れ口を有する。
【０００７】
また、前記かつらベースにおいて、前記地毛囲繞部は、可撓性を有し、前記地毛引き入れ口が開いた状態と該地毛引き入れ口が閉じた状態とに撓むとよい。
また、前記かつらベースにおいて、前記地毛囲繞部は、前記地毛引き入れ口において開口するループ形状を呈するとよい。
【０００８】
また、前記かつらベースにおいて、前記毛髪が植毛されるかつらベース本体部を更に備え、前記地毛囲繞部は、前記かつらベース本体部から突出するように設けられているとよい。
【０００９】
また、前記かつらベースにおいて、前記地毛引き入れ口は、前記かつらベース本体部からの前記地毛囲繞部の突出方向の先端よりも固定端側に位置するとよい。
また、前記かつらベースにおいて、前記毛髪が植毛されるかつらベース本体部を更に備え、前記地毛囲繞部は、前記かつらベース本体部に設けられた凹部と、該凹部の開口部分である前記地毛引き入れ口を開閉させる開閉部材と、を更に有するとよい。
【００１０】
また、前記かつらベースにおいて、前記毛髪が植毛されるかつらベース本体部と、前記かつらベース本体部から突出し前記毛髪が植毛される複数のシート状部材と、を更に備え、前記複数のシート状部材は、少なくとも一部が他の前記シート状部材に重なって位置し、前記地毛囲繞部は、前記複数のシート状部材が重なった部分であり、前記地毛引き入れ口は、前記複数のシート状部材が重なった部分の周縁であるとよい。
【００１１】
他の観点では、かつらは、前記かつらベースと、前記かつらベースに植毛された前記毛髪と、を備える。
【発明の効果】
【００１２】
本発明によれば、かつらの取り付け時に簡単にかつらの外観を自然にすることができる。
【図面の簡単な説明】
【００１３】
【図１】本発明の第１実施形態に係るかつらを示す平面図である。
【図２Ａ】図１のＡ部拡大図（地毛囲繞部が開いた状態）である。
【図２Ｂ】図１のＡ部拡大図（地毛囲繞部が閉じた状態）である。
【図３Ａ】本発明の第１実施形態の変形例に係るかつらの部分拡大図（地毛囲繞部が開いた状態）である。
【図３Ｂ】本発明の第１実施形態の変形例に係るかつらの部分拡大図（地毛囲繞部が閉じた状態）である。
【図４Ａ】本発明の第２実施形態に係るかつらの部分拡大図（地毛囲繞部が開いた状態）である。
【図４Ｂ】本発明の第２実施形態に係るかつらの部分拡大図（地毛囲繞部が閉じた状態）である。
【図５】本発明の第３実施形態に係るかつらの部分拡大図である。
【発明を実施するための形態】
【００１４】
以下、本発明の第１〜第３実施形態に係るかつらベース及びかつらについて、図面を参照しながら説明する。
＜第１実施形態＞
図１は、本発明の第１実施形態に係るかつら１を示す平面図である。
【００１５】
図１に示すかつら１は、かつらベース１０と、毛髪２０と、を備える。かつら１は、かつら装着者の頭部の全体に配置される全頭かつらであってもよいし、かつら装着者の頭部の一部に配置される部分かつらであってもよい。
【００１６】
かつらベース１０は、かつらベース本体部１１と、９個の地毛囲繞部３０と、を有する。なお、地毛囲繞部３０は、１〜８個であっても、１０個以上であってもよい。
かつらベース本体部１１は、周縁部１２と、分け目部１３と、を含む。かつらベース本体部１１には、毛髪２０が植毛されている。毛髪２０は、例えば人工毛髪であるが、加工人毛などの人工毛髪以外の毛髪であってもよい。なお、図１において、毛髪２０は、かつらベース本体１１に数本のみ図示するが、実際には、例えば密集するようにかつらベース本体部１１に植毛される。
【００１７】
周縁部１２は、かつらベース本体部１１を折り返すことで形成されているか、或いは、人工皮膚などのかつらベース本体部１１とは異なる部材により形成されている。
分け目部１３は、例えば人工皮膚により形成されている。なお、分け目部１３は、かつらベース本体部１１の他の部分をくりぬいた部分に形成されているか或いは他の部分に重なるように固定されている。
【００１８】
なお、本第１実施形態では、周縁部１２及び分け目部１３がかつらベース本体部１１に設けられたかつらベース１０を一例として説明しているが、かつらベース１０としては、かつらベース本体１１及び後述する地毛囲繞部３０を備えるものであればよい。
【００１９】
図２Ａ及び図２Ｂは、図１のＡ部拡大図である。なお、図２Ａは、図１とは異なり地毛引き入れ口３０ａが開いた状態Ｓ１の地毛囲繞部３０を示し、図２Ｂは、図１と同様に地毛引き入れ口３０ａが閉じた状態Ｓ２の地毛囲繞部３０を示す。
【００２０】
図１、図２Ａ、及び図２Ｂに示すように、地毛囲繞部３０は、かつらベース１１の周縁に設けられている。
地毛囲繞部３０は、例えばプラスチック線材をループ形状に加工されて形成されている。また、地毛囲繞部３０は、かつらベース本体部１１の周縁から突出するように設けられている。なお、地毛囲繞部３０は、例えば、かつらベース本体部１１の内側に地毛を引き入れるための大きな開口部が設けられているとき、この開口部から突出するように設けられていてもよい。このように、地毛囲繞部３０は、かつらベース本体部１１の周縁に設けられる態様に限られない。
【００２１】
地毛囲繞部３０は、図２Ａ及び図２Ｂに破線（かくれ線）で示すかつらベース本体部１１の裏面（内側面）又は内部（かつらベース本体部１１が複数層からなる場合）において、かつらベース本体部１１に対し固定されている。なお、本第１実施形態では、地毛囲繞部３０は、角が丸まった三角形状に近い形状を呈するが、形状は特に制限されない。また、地毛囲繞部３０は、かつらベース本体部１１の表面（外側面）に固定されていてもよい。
【００２２】
地毛囲繞部３０の例えば両端（線材の両端）の間に隙間が生じたとき、この隙間は、地毛囲繞部３０の周囲からかつら装着者の地毛１００を引き入れるための地毛引き入れ口３０ａとなる。このように、地毛囲繞部３０は、地毛引き入れ口３０ａにおいて開口するループ形状を呈する。なお、地毛引き入れ口３０ａは、かつらベース本体部１１の周縁からの地毛囲繞部３０の突出方向の先端よりも固定端側に位置する。つまり、地毛引き入れ口３０ａは、地毛囲繞部３０の突出方向の先端には位置しない。図２Ａ及び図２Ｂの例では、地毛引き入れ口３０ａは、かつらベース本体部１１の周縁近傍に位置する。
【００２３】
地毛囲繞部３０は、例えば可撓性を有することで、地毛引き入れ口３０ａが図２Ａに示すように開いた状態Ｓ１と図２Ｂに示すように閉じた状態Ｓ２とに撓む。また、地毛囲繞部３０は、弾性変形可能である。このように、地毛引き入れ口３０ａは、開閉可能である。地毛囲繞部３０は、地毛引き入れ口３０ａが閉じた状態Ｓ２で地毛１００を囲繞する。なお、地毛囲繞部３０は、可塑性を有していてもよい。この場合の可塑性は、例えば人の手で地毛引き入れ口３０ａを開閉させたときに、少しでも塑性変形するものであればよい。また、地毛囲繞部３０は、地毛引き入れ口３０ａを開いた状態と閉じた状態とに移動する部材を有する場合には可撓性を有さなくともよい。
【００２４】
まず、かつら１がかつら装着者の頭部に載置された状態で、地毛囲繞部３０は、図２Ａに示すように例えばブラシ又は人の手により例えば押圧されることで、地毛引き入れ口３０ａが開き、そのままブラシ又は人の手により地毛引き入れ口３０ａに地毛１００が引き入れられる。
【００２５】
その後、地毛囲繞部３０は、図２Ｂに示すように例えば地毛囲繞部３０が有する弾性によって、地毛引き入れ口３０ａが閉じた状態Ｓ２に戻る。これにより、地毛囲繞部３０によって囲繞された地毛１００が地毛囲繞部３０から抜け出るのが防止される。
【００２６】
以上説明した本第１実施形態では、地毛囲繞部３０は、かつら装着者の地毛１００を囲繞する。また、地毛囲繞部３０は、この地毛囲繞部３０の周囲から地毛１００を引き入れるための開閉可能な地毛引き入れ口３０ａを有する。
【００２７】
そのため、地毛１００の引き入れ時に、地毛囲繞部３０を地毛引き入れ口３０ａが開いた状態Ｓ１にすることで、地毛１００を地毛囲繞部３０へ引き入れるのを容易にすることができる。また、地毛１００の引き入れ後に、地毛囲繞部３０を地毛引き入れ口３０ａが閉じた状態Ｓ２にすることで、地毛１００が地毛囲繞部３０から抜き出るのを防ぐことができる。これらによって、かつらベース１０の周縁が露出すること及びかつらベース１０の位置ずれが生じるのを防ぐことができる。
【００２８】
よって、本第１実施形態によれば、かつら１の取り付け時に簡単にかつら１の外観を自然にすることができる。
また、本第１実施形態では、地毛囲繞部３０は、可撓性を有し、地毛引き入れ口３０ａが開いた状態Ｓ１と地毛引き入れ口３０ａが閉じた状態Ｓ２とに撓む。そのため、簡素な構成で地毛引き入れ口３０ａを開閉させることができる。
【００２９】
また、本第１実施形態では、地毛囲繞部３０は、地毛引き入れ口３０ａにおいて開口するループ形状を呈する。そのため、簡素な構成で地毛引き入れ口３０ａを開閉させることができる。
【００３０】
また、本第１実施形態では、地毛囲繞部３０は、かつらベース本体部１１から突出するように設けられている。そのため、地毛１００を地毛引き入れ口３０ａに引き入れやすくすることができる。
【００３１】
また、本第１実施形態では、地毛引き入れ口３０ａは、かつらベース本体部１１からの地毛囲繞部３０の突出方向の先端よりも固定端側に位置する。そのため、かつらベース本体部１１に沿った方向から地毛１００を地毛引き入れ口３０ａに引き入れやすくすることができる。
【００３２】
なお、本第１実施形態では、地毛囲繞部３０が、この地毛囲繞部３０の周囲から地毛１００を引き入れるための開閉可能な地毛引き入れ口３０ａを有する構成以外の構成は適宜変更可能である。また、地毛囲繞部３０については、かつら装着者の地毛１００を囲繞するものであれば、形状や材質なども制限されない。これらのことは、後述する変形例並びに第２及び第３実施形態においても同様である。
【００３３】
［第１実施形態の変形例］
図３Ａ及び図３Ｂは、本第１実施形態の変形例に係るかつらの部分拡大図（図１のＡ部に対応）である。なお、図３Ａは、地毛引き入れ口４０ａが開いた状態Ｓ１の地毛囲繞部４０を示し、図３Ｂは、地毛引き入れ口４０ａが閉じた状態Ｓ２の地毛囲繞部４０を示す。
【００３４】
本変形例では、地毛囲繞部４０は、ループ形状を呈さず、かつらベース本体部１１との間に地毛引き入れ口４０ａを有し、かつらベース本体部１１との間の空間において地毛１００を囲繞する点において、図２Ａ及び図２Ｂに示す地毛囲繞部３０と相違する。その他は、上述の図１〜図２Ｂに示す地毛囲繞部３０と同様の構成とすることが可能である。
【００３５】
地毛囲繞部４０は、例えばプラスチック線材を折り曲げ加工されて形成されている。また、地毛囲繞部４０は、図３Ａ及び図３Ｂに破線（かくれ線）で示すかつらベース本体部１１の裏面（内側面）又は内部（かつらベース本体部１１が複数層からなる場合）において、かつらベース本体部１１に対し固定されている。なお、本変形例では、地毛囲繞部４０は、Ｊ字に近い形状を呈するが、形状は特に制限されない。また、地毛囲繞部４０は、かつらベース本体部１１の表面（外側面）に固定されていてもよい。
【００３６】
地毛囲繞部４０の自由端とかつらベース本体部１１との間は、地毛引き入れ口４０ａである。なお、本変形例においても、地毛引き入れ口４０ａは、かつらベース本体部１１からの地毛囲繞部４０の突出方向の先端よりも固定端側に位置する。
【００３７】
まず、かつら１がかつら装着者の頭部に載置された状態で、地毛囲繞部３０は、図３Ａに示すように例えばブラシ又は人の手により例えば押圧されることで、地毛引き入れ口４０ａが開き、そのままブラシ又は人の手により地毛引き入れ口４０ａに地毛１００が引き入れられる。
【００３８】
その後、地毛囲繞部４０は、図３Ｂに示すように例えば地毛囲繞部４０が有する弾性によって、地毛引き入れ口４０ａが閉じた状態Ｓ２、つまりかつらベース本体部１１との間に地毛１００を囲繞する状態に戻る。これにより、地毛囲繞部４０によって囲繞された地毛１００が地毛囲繞部４０から抜け出るのが防止される。
【００３９】
以上説明した本変形例では、地毛囲繞部４０は、かつらベース本体部１１との間で地毛１００を囲繞する。そのため、簡素な構成で地毛引き入れ口４０ａを開閉させることができる。
【００４０】
＜第２実施形態＞
図４Ａ及び図４Ｂは、第２実施形態に係るかつらの部分拡大図（図１のＡ部に対応）である。なお、図４Ａは、かつらベース本体部１１の凹部１１ａの開口部分１１ａ−１が開いた状態Ｓ１の開閉部材５０を示し、図４Ｂは、開口部分１１ａ−１が閉じた状態Ｓ２の開閉部材５０を示す。
【００４１】
なお、本第２実施形態では、地毛囲繞部の一例が、凹部１１ａ及び開閉部材５０であり、地毛引き入れ口の一例が、凹部１１ａの開口部分１１ａ−１である。
凹部１１ａは、かつらベース本体部１１に設けられ、開閉部材５０とともに地毛１００を囲繞する。
【００４２】
開閉部材５０は、凹部１１ａの開口部分１１ａ−１である地毛引き入れ口を開閉させる。なお、開閉部材５０は、上述の図１〜図３Ｂに示す地毛囲繞部３０，４０と同様に、例えばプラスチック線材をループ形状に加工されて形成されている。
【００４３】
開閉部材５０は、図４Ａ及び図４Ｂに破線（かくれ線）で示すかつらベース本体部１１の裏面（内側面）又は内部（かつらベース本体部１１が複数層からなる場合）において、かつらベース本体部１１に対し固定されている。なお、開閉部材５０は、開口部分１１ａ−１が開いた状態Ｓ１においてＣ字形状を呈するが、形状は特に制限されない。また、開閉部材５０は、かつらベース本体部１１の表面（外側面）に固定されていてもよい。
【００４４】
なお、開閉部材５０の両端が凹部１１ａ内に突出するため、実際には、凹部１１ａの開口部分１１ａ−１（地毛引き入れ口の一例）の全体ではなく、開閉部材５０の両端（線材の両端）の隙間から地毛１００が引き入れられる。
【００４５】
開閉部材５０は、例えば可撓性を有することで、凹部１１ａの開口部分１１ａ−１が図４Ａに示すように開いた状態Ｓ１と図４Ｂに示すように閉じた状態Ｓ２とに撓む。また、開閉部材５０は、弾性変形可能である。このように、凹部１１ａの開口部分１１ａ−１である地毛引き入れ口は、開閉可能である。開閉部材５０は、地毛引き入れ口が閉じた状態Ｓ２で、凹部１１ａとの間で地毛１００を囲繞する。
【００４６】
まず、かつら１がかつら装着者の頭部に載置された状態で、開閉部材３０は、図４Ａに示すように例えばブラシ又は人の手により例えば押圧されることで、凹部１１ａの開口部分１１ａ−１が開き、地毛１００が引き入れられる。なお、かつら１がかつら装着者の頭部に載置されることで、地毛１００を引き入れなくとも凹部１１ａに地毛１００が収容されることもあり得る。
【００４７】
その後、開閉部材５０は、図４Ｂに示すように例えば開閉部材５０が有する弾性によって、開口部分１１ａ−１が閉じた状態Ｓ２に戻る。これにより、凹部１１ａ及び開閉部材５０によって囲繞された地毛１００が凹部１１ａ及び開閉部材５０から抜け出るのが防止される。
【００４８】
以上説明した本第２実施形態においても、上述の第１実施形態と同様に、かつら１の取り付け時に簡単にかつら１の外観を自然にすることができる。
また、本第２実施形態では、かつらベース本体部１１に設けられた凹部１１ａと、この凹部１１ａの開口部分１１ａ−１である地毛引き入れ口を開閉させる開閉部材５０とが、地毛１００を囲繞する地毛囲繞部の一例として機能する。
【００４９】
このように、かつらベース本体部１１の凹部１１ａに地毛１００を引き入れるため、図２Ａ〜図３Ｂに示す地毛囲繞部３０，４０を用いた構成よりも簡素な、凹部１１ａ及び開閉部材５０を用いた構成で地毛１００を囲繞することができる。
【００５０】
＜第３実施形態＞
図５は、本発明の第３実施形態に係るかつらの部分拡大図（図１のＡ部に対応）である。
【００５１】
本第３実施形態では、複数（例えば３枚）のシート状部材６１，６２，６３が他のシート状部材６１，６２，６３に重なった部分が地毛囲繞部の一例として機能する。また、この重なった部分の周縁が地毛引き入れ口の一例として機能する。
【００５２】
図５に示すように、シート状部材６１，６２，６３は、かつらベース本体部１１の周縁に例えば縫い付けられ（点線部分参照）、かつらベース本体部１１の周縁から突出するように設けられている。なお、シート状部材６１，６２，６３がかつらベース本体部１１に取り付けられる位置は任意であるが、図１に示す地毛囲繞部３０と同様に、かつらベース１０のうち側頭部や後頭部が一例として挙げられる。
【００５３】
シート状部材６１，６２，６３は、例えばネット状の部材であり、可撓性を有し、また、弾性変形可能である。また、シート状部材６１，６２、６３には、毛髪２０が植毛される。シート状部材６１，６２，６３は、一部が他のシート状部材６１，６２，６３に重なって位置する。なお、シート状部材６１，６２，６３の全部が他のシート状部材６１，６２，６３の一部又は全部と重なって位置してもよい。
【００５４】
地毛１００は、シート状部材６１，６２，６３が重なった部分において、２枚のシート状部材６１，６２又はシート状部材６２，６３によって挟み込まれることで囲繞される。このように、本第３実施形態の地毛囲繞部は、複数のシート状部材６１，６２，６３が重なった部分である。また、本第３実施形態の地毛引き入れ口は、複数のシート状部材６１，６２，６３が重なった部分の周縁である。なお、シート状部材６１，６２，６３が重なった部分から地毛１００が抜け出るのを防止する観点では、シート状部材６１，６２，６３の剛性は高いほどよいが、かつらベース本体部１１として一般に用いられるネット状の部材であっても地毛１００を囲繞することができる。
【００５５】
図１に示すかつら１をかつら装着者の頭部に取付ける場合、かつら１がかつら装着者の頭部に載置された状態で、例えば人の手又はブラシによって、重なったシート状部材６１，６２，６３のうち上側に位置するシート状部材６２，６３を捲り上げることで、地毛１００をシート状部材６１，６２，６３が重なった部分に引き入れられるようにする。或いは、後述するが、例えばブラシ又は人の手によって、シート状部材６１，６２，６３が重なった部分に地毛１００を引き入れる際に、シート状部材６２，６３を捲り上げるようにしてもよい。このようにシート状部材６２，６３が捲り上がることで、地毛引き入れ口が開かれる。
【００５６】
その後、例えばブラシ又は人の手によって、シート状部材６１，６２，６３が重なった部分に地毛１００が引き入れられる。シート状部材６１，６２，６３は重なって位置するため、シート状部材６１，６２，６３の重なった部分によって囲繞された地毛１００が抜け出るのが防止される。
【００５７】
以上説明した本第３実施形態においても、上述の第１実施形態及び第２実施形態と同様に、かつら１の取り付け時に簡単にかつら１の外観を自然にすることができる。
また、本第３実施形態では、複数のシート状部材６１，６２，６３は、かつらベース本体部１１から突出し、毛髪２０が植毛される。また、複数のシート状部材６１，６２，６３は、少なくとも一部が他のシート状部材６１，６２，６３に重なって位置し、複数のシート状部材６１，６２，６３が重なった部分が、地毛１００を囲繞する地毛囲繞部として機能する。また、この複数のシート状部材６１，６２，６３が重なった部分の周縁が、地毛１００を引き入れるための地毛引き入れ口として機能する。そのため、上述の第１実施形態及び第２実施形態と比較して、より一層簡素な構成で地毛１００を囲繞することができる。
【符号の説明】
【００５８】
１      かつら
１０      かつらベース
１１      かつらベース本体部
１１ａ      凹部
１１ａ−１      開口部分
１２      周縁部
１３      分け目部
２０      毛髪
３０，４０      地毛囲繞部
３０ａ，４０ａ      地毛引き入れ口
５０      開閉部材
６１，６２，６３      シート状部材
１００      地毛
【図１】
0006557040.tif 000002
【図２Ａ】
0006557040.tif 000003
【図２Ｂ】
0006557040.tif 000004
【図３Ａ】
0006557040.tif 000005
【図３Ｂ】
0006557040.tif 000006
【図４Ａ】
0006557040.tif 000007
【図４Ｂ】
0006557040.tif 000008
【図５】
0006557040.tif 000009